【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
目標起動時間（ＴＷＴ）に対するタイミング情報と、前記タイミング情報を適用するＴＷＴの識別とを含むフレームを発生させる手段と、
送信のために前記フレームを出力する手段とを具備し、
前記フレームは、前記識別によって識別されたＴＷＴに対して以前に示されたサービス期間外での送信のために出力される装置。
【請求項２】
前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される請求項１記載の装置。
【請求項３】
前記フレームは、制御応答フレームを含む請求項１記載の装置。
【請求項４】
前記識別を運ぶフィールドのサイズは、少なくとも３ビットである請求項２記載の装置。
【請求項５】
ワイヤレス通信のための方法において、
目標起動時間（ＴＷＴ）に対するタイミング情報と、前記タイミング情報を適用するＴＷＴの識別とを含むフレームを発生させることと、
送信のために前記フレームを出力することと、
前記フレームは、前記識別によって識別されたＴＷＴに対して以前に示されたサービス期間外での送信のために出力される方法。
【請求項６】
前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される請求項５記載の方法。
【請求項７】
前記フレームは、制御応答フレームを含む請求項５記載の方法。
【請求項８】
ワイヤレス通信のための装置において、
フレームを受信する手段と、
目標起動時間（ＴＷＴ）に対するタイミング情報と、前記タイミング情報を適用するＴＷＴの識別とを、前記フレームから取得する手段と、
前記フレームから取得されたタイミング情報に基づいて、前記識別されたＴＷＴに対する起動期間を更新する手段とを具備し、
前記フレームは、前記識別によって識別されたＴＷＴに対して以前に示されたサービス期間外で受信される装置。
【請求項９】
処理システムは、前記フレーム中の、アドレスフィールド、タイムスタンプフィールド、または、ＴＷＴに対するタイミング情報を運ぶフィールドのうちの少なくとも１つの、１つ以上のビットを介して、前記識別を取得するように構成されている請求項８記載の装置。
【請求項１０】
前記フレームは、制御応答フレームを含む請求項８記載の装置。
【請求項１１】
前記識別を運ぶフィールドのサイズは、少なくとも３ビットである請求項９記載の装置。
【請求項１２】
ワイヤレス通信のための方法において、
フレームを受信することと、
目標起動時間（ＴＷＴ）に対するタイミング情報と、前記タイミング情報を適用するＴＷＴの識別とを、前記フレームから取得することと、
前記フレームから取得されたタイミング情報に基づいて、前記識別されたＴＷＴに対する起動期間を更新することとを含み、
前記フレームは、前記識別によって識別されたＴＷＴに対して以前に示されたサービス期間外で受信される方法。
【請求項１３】
前記識別は、前記フレーム中の、アドレスフィールド、タイムスタンプフィールド、または、ＴＷＴに対するタイミング情報を運ぶフィールドのうちの少なくとも１つの、１つ以上のビットを介して取得される請求項１２記載の方法。
【請求項１４】
前記フレームは、制御応答フレームを含む請求項１２記載の方法。
【請求項１５】
請求項５ないし７、または、請求項１２ないし１４のうちのいずれか１項記載の方法を実行するための命令を具備するコンピュータプログラム。
【手続補正２】
【補正対象書類名】明細書
【補正対象項目名】００７７
【補正方法】変更
【補正の内容】
【００７７】
［００９０］
特許請求の範囲は、上記で説明した正確なコンフィギュレーションおよびコンポーネントに限定されないと理解すべきである。さまざまな改良、変更、および、バリエーションが、上記で説明した方法ならびに装置の構成、動作、および、詳細において、特許請求の範囲から逸脱することなく行われてもよい。
以下に、出願当初の特許請求の範囲に記載された発明を付記する。
［１］ワイヤレス通信のための装置において、
目標起動時間（ＴＷＴ）に対するタイミング情報と、前記タイミング情報を適用するＴＷＴの識別とを含むフレームを発生させるように構成されている処理システムと、
送信のために前記フレームを出力するように構成されているインターフェースとを具備する装置。
［２］前記フレームは、前記識別によって識別されたＴＷＴに対して以前に示されたサービス期間外での送信のために出力される［１］記載の装置。
［３］前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される［１］記載の装置。
［４］前記フレームは、制御応答フレームを含む［１］記載の装置。
［５］前記制御応答フレームは、ＴＷＴ肯定応答（ＴＡＣＫ）フレーム、ショートＴＷＴ肯定応答（ＳＴＡＣＫ）フレーム、または、ブロック肯定応答ＴＷＴ（ＢＡＴ）フレームを含む［４］記載の装置。
［６］前記識別は、前記制御応答フレームのフィールドを介して提供され、前記フィールドは、前記制御応答フレームのタイプに少なくとも部分的に依存している［４］記載の装置。
［７］前記識別は、前記制御応答フレーム中のＡ１フィールド中に含まれるＴＷＴフロー識別子サブフィールド中で提供される［４］記載の装置。
［８］前記識別を運ぶフィールドのサイズは、少なくとも３ビットである［３］記載の装置。
［９］ワイヤレス通信のための方法において、
目標起動時間（ＴＷＴ）に対するタイミング情報と、前記タイミング情報を適用するＴＷＴの識別とを含むフレームを発生させることと、
送信のために前記フレームを出力することとを含む方法。
［１０］前記フレームは、前記識別によって識別されたＴＷＴに対して以前に示されたサービス期間外での送信のために出力される［９］記載の方法。
［１１］前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される［９］記載の方法。
［１２］前記フレームは、制御応答フレームを含む［９］記載の方法。
［１３］前記制御応答フレームは、ＴＷＴ肯定応答（ＴＡＣＫ）フレーム、ショートＴＷＴ肯定応答（ＳＴＡＣＫ）フレーム、または、ブロック肯定応答ＴＷＴ（ＢＡＴ）フレームを含む［１２］記載の装置。
［１４］前記識別は、前記制御応答フレームのフィールドを介して提供され、前記フィールドは、前記制御応答フレームのタイプに少なくとも部分的に依存している［１２］記載の方法。
［１５］前記識別は、前記制御応答フレーム中のＡ１フィールド中に含まれるＴＷＴフロー識別子サブフィールド中で提供される［１２］記載の方法。
［１６］ワイヤレス通信のための装置において、
フレームを受信するように構成されているインターフェースと、
目標起動時間（ＴＷＴ）に対するタイミング情報と、前記タイミング情報を適用するＴＷＴの識別とを、前記フレームから取得し、
前記フレームから取得されたタイミング情報に基づいて、前記識別されたＴＷＴに対する起動期間を更新するように構成されている処理システムとを具備する装置。
［１７］前記フレームは、前記識別によって識別されたＴＷＴに対して以前に示されたサービス期間外で受信される［１６］記載の装置。
［１８］前記処理システムは、前記フレーム中の、アドレスフィールド、タイムスタンプフィールド、または、ＴＷＴに対するタイミング情報を運ぶフィールドのうちの少なくとも１つの、１つ以上のビットを介して、前記識別を取得するように構成されている［１６］記載の装置。
［１９］前記フレームは、制御応答フレームを含む［１６］記載の装置。
［２０］前記制御応答フレームは、ＴＷＴ肯定応答（ＴＡＣＫ）フレーム、ショートＴＷＴ肯定応答（ＳＴＡＣＫ）、または、ブロック肯定応答ＴＷＴ（ＢＡＴ）フレームを含む［１９］記載の装置。
［２１］前記処理システムは、前記制御応答フレームのフィールドを介して、前記識別を取得するように構成され、前記フィールドは、前記制御応答フレームのタイプに少なくとも部分的に依存している［１９］記載の装置。
［２２］前記処理システムは、前記制御応答フレーム中のＡ１フィールド中に含まれるＴＷＴフロー識別子サブフィールド中で前記識別を取得するように構成されている［１９］記載の装置。
［２３］前記識別を運ぶフィールドのサイズは、少なくとも３ビットである［１８］記載の装置。
［２４］ワイヤレス通信のための方法において、
フレームを受信することと、
目標起動時間（ＴＷＴ）に対するタイミング情報と、前記タイミング情報を適用するＴＷＴの識別とを、前記フレームから取得することと、
前記フレームから取得されたタイミング情報に基づいて、前記識別されたＴＷＴに対する起動期間を更新することとを含む方法。
［２５］前記フレームは、前記識別によって識別されたＴＷＴに対して以前に示されたサービス期間外で受信される［２４］記載の方法。
［２６］前記識別は、前記フレーム中の、アドレスフィールド、タイムスタンプフィールド、または、ＴＷＴに対するタイミング情報を運ぶフィールドのうちの少なくとも１つの、１つ以上のビットを介して取得される［２４］記載の方法。
［２７］前記フレームは、制御応答フレームを含む［２４］記載の方法。
［２８］前記制御応答フレームは、ＴＷＴ肯定応答（ＴＡＣＫ）フレーム、ショートＴＷＴ肯定応答（ＳＴＡＣＫ）、または、ブロック肯定応答ＴＷＴ（ＢＡＴ）フレームを含む［２７］記載の方法。
［２９］前記識別は、前記制御応答フレームのフィールドを介して取得され、前記フィールドは、前記制御応答フレームのタイプに少なくとも部分的に依存している［２７］記載の方法。
［３０］前記識別は、前記制御応答フレーム中のＡ１フィールド中に含まれるＴＷＴフロー識別子サブフィールド中で取得される［２７］記載の方法。